(57)【要約】  【課題】  酸素吸収性に優れ、酸素吸収剤のベース樹脂との相溶性が低い場合でも、その成形性、酸素吸収剤の分散性、酸素吸収性能の安定性、酸素吸収剤の剥離の防止などの点で向上を図ることができる酸素吸収性樹脂組成物ならびに密封後の容器内に残存する酸素を吸収し、容器の内容物の保存性を良好にするとともに、酸素吸収剤含有樹脂層を有するシール部のシール性などの点で向上を図ることができる酸素吸収性容器キャップおよび酸素吸収性容器栓部を提供すること。  【解決手段】  １０００μｍ以下の粒度分を２０％以上含む酸素吸収剤と、ＨＬＢ値１．５以上の吸水性材料とを、ベース樹脂に対してそれぞれ２０％以下の割合で分散配合してなる。  【選択図】  図１
2005194374.tif 000002
【特許請求の範囲】
【請求項１】
１０００μｍ以下の粒度分を２０％以上含む酸素吸収剤と、ＨＬＢ値１．５以上の吸水性材料とを、ベース樹脂に対してそれぞれ２０％以下の割合で分散配合してなることを特徴とする酸素吸収性樹脂組成物。
【請求項２】
容器内部側に酸素吸収剤含有樹脂層を有する容器キャップであって、該酸素吸収剤含有樹脂層が、ＨＬＢ値１．５以上の吸水性材料をベース樹脂に対して２０％以下の割合で分散配合してなることを特徴とする酸素吸収性容器キャップ。
【請求項３】
前記酸素吸収剤含有樹脂層が、１０００μｍ以下の粒度分を２０％以上含む酸素吸収剤をベース樹脂に対して２０％以下の割合で分散配合してなる請求項２に記載の酸素吸収性容器キャップ。
【請求項４】
前記酸素吸収剤含有樹脂層がキャップシェルと一体に形成されている請求項２または３に記載の酸素吸収性容器キャップ。
【請求項５】
キャップシェルの内側の容器口部に当接して密閉するシール部が酸素吸収剤含有樹脂層を有する請求項２〜４のいずれかに記載の酸素吸収性容器キャップ。
【請求項６】
前記シール部がキャップシェルと一体に構成されている請求項５に記載の酸素吸収性容器キャップ。
【請求項７】
前記シール部がキャップシェルと別体の中栓として構成されている請求項５に記載の酸素吸収性容器キャップ。
【請求項８】
キャップ全体が酸素吸収剤含有樹脂からなる請求項２または３に記載の酸素吸収性容器キャップ。
【請求項９】
前記酸素吸収剤含有樹脂層が、酸素吸収剤含有樹脂フィルムから形成されているか、または酸素吸収剤含有樹脂フィルムと基材フィルムを貼り合わせた多層フィルムから形成されている請求項２〜７のいずれかに記載の酸素吸収性容器キャップ。
【請求項１０】
容器内部側に酸素吸収剤含有樹脂層を有する容器栓部であって、該酸素吸収剤含有樹脂層が、ＨＬＢ値１．５以上の吸水性材料をベース樹脂に対して２０％以下の割合で分散配合してなることを特徴とする酸素吸収性容器栓部。
【請求項１１】
前記酸素吸収剤含有樹脂層が、１０００μｍ以下の粒度分を２０％以上含む酸素吸収剤をベース樹脂に対して２０％以下の割合で分散配合してなる請求項１０に記載の酸素吸収性容器栓部。
【発明の詳細な説明】
【技術分野】
【０００１】
この発明は、酸素吸収性樹脂組成物ならびにこれを用いた飲料用ボトル容器等の容器キャップおよび容器栓部に関し、更に詳しくは、密封後の容器内に残存する酸素を吸収し、容器の内容物の保存性を良好とする酸素吸収性容器キャップおよび酸素吸収性容器栓部に関する。
【背景技術】
【０００２】
ペットボトル、ガラスびんやパウチなどの包装容器においては、密封後の容器内に、内容物の充填されていない空間、いわゆるヘッドスペースが形成され、このヘッドスペース内に残存する酸素が内容物を酸化劣化させるため、前記内容物の長期保存性が不充分であった。そして、このヘッドスペース内に残存する酸素を除去するものとして、飲料用ボトル容器等のキャップに酸素吸収剤を含有させた酸素吸収性容器キャップが従来より提案されている。
【０００３】
例えば、特許文献１には、酸素吸収剤を含有させた容器クロージャーが記載されており、特許文献２には、酸素吸収剤ではないが、エチレン−ビニルアルコール重合体を含有させ、酸素透過率を低下させた容器キャップが記載されている。また、特許文献３には、酸素吸収剤とエチレン−ビニルアルコールポリマーなどを含有させ、さらに酸素吸収剤含有樹脂層の表面に微小凹凸を形成した容器キャップが記載されている。
【特許文献１】特開平１−３１５４３８号公報
【特許文献２】特開平２−２２５５６８号公報
【特許文献３】特公平７−４１９３０号公報
【発明の開示】
【発明が解決しようとする課題】
【０００４】
しかしながら、上記従来の容器キャップにおいても、十分な酸素吸収性能が得られないことがあった。そして、本発明者らは、酸素吸収性は高いがベース樹脂との相溶性が低い酸素吸収剤の適用について検討したが、満足のいくものは得られなかった。
【０００５】
すなわち、ベース樹脂との相溶性の低い酸素吸収剤を含有させた樹脂は、流動性が低く成形が困難であることに加え、酸素吸収剤の分散性が低く、製品によってばらつきがあり、安定した酸素吸収性能が得られず、酸素吸収剤の性能から予想される高い酸素吸収性能も得られないことがわかった。それだけでなく、容器キャップのキャップシェルの内側に設けられ、容器口部に当接して密閉するシール部である、例えば、ライナーやパッキンには、シールによる物理的ストレスや熱的ストレスがかかるが、ベース樹脂との相溶性が低い酸素吸収剤の場合、これらのストレスによりベース樹脂からの酸素吸収剤の剥離や分離が起こりやすいという問題があり、さらに、容器キャップのシール性はライナーやパッキンの密着によって保たれているが、酸素吸収剤によっては、ライナーやパッキンに対する添加量が多すぎると、その剛性が上がり、シール性が低下することがある。
【０００６】
この発明は上述の事柄に留意してなされたもので、その目的は、酸素吸収性に優れ、酸素吸収剤のベース樹脂との相溶性が低い場合でも、その成形性、酸素吸収剤の分散性、酸素吸収性能の安定性、酸素吸収剤の剥離の防止などの点で向上を図ることができる酸素吸収性樹脂組成物ならびに密封後の容器内に残存する酸素を吸収し、容器の内容物の保存性を良好にするとともに、酸素吸収剤含有樹脂層を有するシール部のシール性などの点で向上を図ることができる酸素吸収性容器キャップおよび酸素吸収性容器栓部を提供することである。
【課題を解決するための手段】
【０００７】
上記目的を達成するために、この発明の酸素吸収性樹脂組成物は、１０００μｍ以下の粒度分を２０％以上含む酸素吸収剤と、ＨＬＢ値１．５以上の吸水性材料とを、ベース樹脂に対してそれぞれ２０％以下の割合で分散配合してなる（請求項１）。この発明の酸素吸収性樹脂組成物は、包装容器の構成部材全般の材料として使用できる。
【０００８】
また、上記目的を達成するために、この発明の酸素吸収性容器キャップは、容器内部側に酸素吸収剤含有樹脂層を有する容器キャップであって、該酸素吸収剤含有樹脂層が、ＨＬＢ値１．５以上の吸水性材料をベース樹脂に対して２０％以下の割合で分散配合してなる（請求項２）。
【０００９】
好ましくは、前記酸素吸収剤含有樹脂層が、１０００μｍ以下の粒度分を２０％以上含む酸素吸収剤をベース樹脂に対して２０％以下の割合で分散配合してなる（請求項３）。
【００１０】
また、前記酸素吸収剤含有樹脂層がキャップシェルと一体に形成されていてもよい（請求項４）。すなわち、前記酸素吸収剤含有樹脂層は、インシェルモールド成形や多層成形等により、キャップシェルの内側の全面またはその一部にキャップシェルと一体に成形されたものとすることができる。
【００１１】
さらに、キャップシェルの内側の容器口部に当接して密閉するシール部が酸素吸収剤含有樹脂層を有していてもよい（請求項５）。
【００１２】
また、前記シール部がキャップシェルと一体に構成されていてもよく（請求項６）、前記シール部がキャップシェルと別体の中栓として構成されていてもよい（請求項７）。
【００１３】
すなわち、前記シール部は、インシェルモールド成形や多層成形等により、キャップシェルと一体に成形されて構成されているライナーやパッキン等とすることができ、また、射出成形や圧縮成形等により別に成形したパッキン等のシール部をキャップシェルに融着や接着により密着して一体に構成されているものとすることができる。また、前記シール部は、射出成形や圧縮成形等により別に成形したパッキン等の中栓をキャップシェルに密着はしないが分離しないように組み合わせて構成されているものとすることができる。
【００１４】
また、キャップ全体が酸素吸収剤含有樹脂からなっていてもよい（請求項８）。
【００１５】
さらに、前記酸素吸収剤含有樹脂層が、酸素吸収剤含有樹脂フィルムから形成されているか、または酸素吸収剤含有樹脂フィルムと基材フィルムを貼り合わせた多層フィルムから形成されていてもよい（請求項９）。
【００１６】
上記目的を達成するために、この発明の酸素吸収性容器栓部は、容器内部側に酸素吸収剤含有樹脂層を有する容器栓部であって、該酸素吸収剤含有樹脂層が、ＨＬＢ値１．５以上の吸水性材料をベース樹脂に対して２０％以下の割合で分散配合してなる（請求項１０）。
【００１７】
また、前記酸素吸収剤含有樹脂層が、１０００μｍ以下の粒度分を２０％以上含む酸素吸収剤をベース樹脂に対して２０％以下の割合で分散配合してなる（請求項１１）。
【発明の効果】
【００１８】
請求項１に係る発明では、ＨＬＢ値１．５以上の吸水性材料をベース樹脂に対して２０％以下の割合で分散配合してあるので、以下のような効果が得られる。すなわち、ベース樹脂に対して分散配合する吸水性材料のＨＬＢ値が１．５未満の小さい値であると、酸素吸収性樹脂組成物の吸水性、ひいては酸素吸収効果の促進が不充分となるが、この発明では、ＨＬＢ値を１．５以上と特定しているので、酸素吸収効果を充分に促進することができる。また、ベース樹脂に対して分散配合する吸水性材料の割合が２０％より大きいと、酸素吸収性樹脂組成物が機械的に脆くなるが、この発明では、２０％以下と特定しているので、そのように機械的に脆くなるということがなく、従って、製造しやすく、また、耐久性・使用性などの点でも良好なものとなる。
【００１９】
しかも、請求項１に係る発明では、１０００μｍ以下の粒度分を２０％以上含む酸素吸収剤をベース樹脂に対して２０％以下の割合で分散配合してなるので、以下のような効果が得られる。すなわち、ベース樹脂に対して分散配合する酸素吸収剤の粒度分が大きいものの割合が多くなると、酸素吸収性樹脂組成物の成形性が悪化し、また、酸素吸収剤の分散が悪く、製品によってはばらつきがでて、安定した酸素吸収性能が得られにくくなり、また、酸素吸収剤の全体の表面積が小さくなるので酸素吸収性能を高めることができず、さらに、ベース樹脂からの酸素吸収剤の剥離や分離が起こりやすくなるという種々の不都合が生じるが、この発明では、酸素吸収剤が１０００μｍ以下の粒度分を２０％以上含むようにしているので、酸素吸収性樹脂組成物の成形性、酸素吸収剤の分散性、酸素吸収性能の安定性、酸素吸収剤の剥離の防止などの点で向上を図ることができる。また、例えば、酸素吸収性樹脂組成物を、飲料用ボトル容器などの包装容器の口部を開閉自在に密閉するシール部として形成するような場合、ベース樹脂に対して分散配合する酸素吸収剤の割合が２０％より大きいと、剛性が上がりすぎてしまい、そのシール性が低下するが、この発明では、２０％以下としているので、剛性が上がることを抑え、そのシール性を確実に維持することができる。
【００２０】
請求項２および１０に係る発明では、酸素吸収剤含有樹脂層が、ＨＬＢ値１．５以上の吸水性材料をベース樹脂に対して２０％以下の割合で分散配合してなるので、以下のような効果が得られる。すなわち、酸素吸収剤含有樹脂層のベース樹脂に対して分散配合する吸水性材料のＨＬＢ値が１．５未満の小さい値であると、酸素吸収剤含有樹脂層の吸水性、ひいては酸素吸収効果の促進が不充分となるが、この発明では、ＨＬＢ値を１．５以上と特定しているので、酸素吸収効果を充分に促進することができ、これによって、密封後の容器内に残存する酸素が速やかに吸収され、容器の内容物の保存性が良好となる。また、酸素吸収剤含有樹脂層のベース樹脂に対して分散配合する吸水性材料の割合が２０％より大きいと、酸素吸収剤含有樹脂層が機械的に脆くなるが、この発明では、２０％以下と特定しているので、酸素吸収剤含有樹脂層が機械的に脆くならず、製造しやすく、また、耐久性・使用性などの点で良好なものとなる。
【００２１】
請求項３および１１に係る発明では、酸素吸収剤含有樹脂層が、１０００μｍ以下の粒度分を２０％以上含む酸素吸収剤をベース樹脂に対して２０％以下の割合で分散配合してなるので、以下のような効果が得られる。すなわち、酸素吸収剤含有樹脂層のベース樹脂に対して分散配合する酸素吸収剤の粒度分が大きいものの割合が多くなると、酸素吸収剤含有樹脂の成形性が悪化し、また、酸素吸収剤の分散が悪く、製品によってはばらつきがでて、安定した酸素吸収性能が得られにくくなり、また、酸素吸収剤の全体の表面積（ヘッドスペース内の酸素との接触面積）が小さくなるので酸素吸収性能が高くならず、さらに、ベース樹脂からの酸素吸収剤の剥離や分離が起こりやすくなるという種々の不都合が生じるが、この発明では、酸素吸収剤が１０００μｍ以下の粒度分を２０％以上含むようにしているので、酸素吸収剤含有樹脂の成形性、酸素吸収剤の分散性、酸素吸収性能の安定性、酸素吸収剤の剥離の防止などの点で向上を図ることができる。また、酸素吸収剤含有樹脂層のベース樹脂に対して分散配合する酸素吸収剤の割合が２０％より大きいと、ライナーやパッキンなどのシール部の剛性が上がり、そのシール性が低下するが、この発明では、２０％以下としているので、ライナーやパッキンなどのシール部の剛性が上がることを抑え、そのシール性を確実に維持することができる。
【００２２】
請求項４〜９に係る発明でも、上記発明によって得られる効果と同様の効果を得ることができる。
【００２３】
また、請求項１〜１１に係る発明では、ベース樹脂との相溶性が高い酸素吸収剤はもちろん、相溶性が低い酸素吸収剤を酸素吸収剤含有樹脂層に用いることができるので、これにより、汎用性、応用性の点でも優れたものとなっている。
【発明を実施するための最良の形態】
【００２４】
酸素吸収性樹脂組成物および酸素吸収剤含有樹脂層は、１０００μｍ以下の粒度分を２０％以上含む前記酸素吸収剤をベース樹脂に対して２０％以下の割合で分散配合してなる。酸素吸収剤は、１０００μｍ以下の粒度分を好ましくは３０％以上、さらに好ましくは５０％以上含む。酸素吸収剤の粒度が大きいものの割合が多くなると、酸素吸収剤含有樹脂の成形性が悪化し、また、酸素吸収剤の分散が悪く、製品によってはばらつきがでて、安定した酸素吸収性能が得られにくくなり、また、酸素吸収剤の全体の表面積（ヘッドスペース内の酸素との接触面積）が小さくなるので酸素吸収性能が高くならず、さらに、ベース樹脂からの酸素吸収剤の剥離や分離が起こりやすくなり、好ましくない。また、酸素吸収剤含有樹脂層のベース樹脂に対して分散配合する酸素吸収剤の割合が２０％より大きいと、ライナーやパッキンなどのシール部の剛性が上がり、そのシール性が低下するので好ましくない。
【００２５】
ここで、酸素吸収剤としては、従来より使用されている還元性を有する化合物等からなる酸素吸収剤を使用することができ、例えば、塩類である酸素吸収剤としては、亜硫酸ナトリウムの他、亜硫酸カリウム、アスコルビン酸塩（Ｌ−アスコルビン酸ナトリウムなど）が挙げられる。酸である酸素吸収剤としては、Ｌ−アスコルビン酸、エルソルビン酸、ヒドロキシルカルボン酸等が挙げられる。金属系の酸素吸収剤であり、還元性を有する金属粉としては、還元性鉄（粉）、還元性錫粉、還元性亜鉛（粉）、酸化物としては、酸化第一鉄、四三酸化鉄等、金属化合物としては、炭化鉄、ケイ素鉄、カルボニル鉄、水酸化鉄などが挙げられる。また、酸素吸収剤として、多価のフェノールを有する高分子化合物を用いることもできる。
【００２６】
また、酸素吸収性樹脂組成物は、ＨＬＢ値１．５以上のノニオン系界面活性剤を吸水性材料としてベース樹脂に対して２０％以下の割合で分散配合させる。ＨＬＢ値は、１．５以上から３０以下が好ましく、４．３以上から１０以下がより好ましい。ＨＬＢ値が低いと、吸水性、ひいては酸素吸収効果の促進が不充分となり、逆にＨＬＢ値が高いと、ベース樹脂への分散性が悪くなり、成形も難しくなるので、いずれも好ましくない。酸素吸収性樹脂組成物における吸水性材料の含有量は、ベース樹脂に対して１５％以下がより好ましく、１０％以下がさらに好ましい。吸水性材料の含有量が少ないと、吸水性ひいては酸素吸収効果の促進が不充分となり好ましくなく、吸水性材料の含有量が多いと、成形が難しくなり、酸素吸収剤含有樹脂層が機械的に脆くなったり柔らかくなりすぎるので好ましくない。
【００２７】
前記吸水性材料としては、グリセリン系脂肪酸エステル、ポリグリセリン系脂肪酸エステル、ソルビタン系脂肪酸エステル、プロピレングリコール系脂肪酸エステル、高級アルコール系脂肪酸エステルなどの脂肪酸エステルが挙げられる。また、吸水性材料として、上記の吸水性材料と併用して、ベース樹脂に対して２０％以下の量で、シリカゲル；炭酸カルシウム、塩化カルシウム、硫酸ナトリウムなどの無機塩；また、水酸基、アミノ基、カルボン酸基、エステル基などの親水性基を有する親水性重合体を使用してもよい。
【００２８】
上記酸素吸収剤および吸水性材料が分散配合されるベース樹脂としては、射出成形、圧縮成形またはインシェルモールド成形が可能で、クッション性を有する軟質樹脂であれば、従来公知の熱可塑性樹脂を使用することができる。例えば、ポリエチレン、ポリプロピレン、プロピレン−エチレン共重合体、ポリブテン−１、エチレン−ブテン−１共重合体、プロピレン−ブテン−１共重合体、エチレン−ビニルアルコール共重合体、エチレン−酢酸ビニル共重合体、イオン架橋オレフィン系共重合体（アイオノマー）などのオレフィン系樹脂；エチレン−プロピレン−ジエン共重合体、水素化エチレン−プロピレン−ジエン共重合体等のオレフィン系エラストマー；ＳＢＳエラストマー、ＳＢＲなどが挙げられ、これらの一種または二種以上を組み合わせて使用することができる。
【００２９】
また、上記ベース樹脂は、２３℃および４０％ＲＨ条件での酸素透過率が１０-4ｃｃ・ｍｍ／ｃｍ2 ・ｄａｙ・ａｔｍ以上であり、かつ２３℃純水中での吸水量が０．０１％以上である熱可塑性樹脂であることが好ましい。
【００３０】
キャップとしては、ピルファープルーフキャップに限られず、例えば、王冠、タブ付きスコア破断型イージーオープンキャップ、プレスクリューキャップ、ラグキャップ、その他、パウチ等の軟包装容器におけるスパウト（口栓）のキャップなど、任意の容器蓋形状のものを、従来公知の製法（射出成形法や圧縮成形法など）により作製し、使用することができる。
【００３１】
キャップシェルを構成する素材としては、従来のキャップシェルの素材に用いられている素材を使用することができ、例えば、ポリエチレン、ポリプロピレン、エチレン−ポリプロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂、ＰＣ樹脂等の合成樹脂や、アルミニウム等の軽金属、リン酸処理あるいはクロム酸処理などの表面処理鋼板等のシート状あるいは箔状の金属素材を挙げることができる。
【００３２】
図１および図２は、この発明の一実施例を示す。
【００３３】
この実施例の酸素吸収性容器キャップ（以下、キャップという）１は、ピルファープルーフキャップであり、図１に示すように、合成樹脂製のキャップシェル２と、このキャップシェル２の内側に設けられ、容器３の口部４に当接してこれを密閉するシール部５とを備えている。
【００３４】
そして、キャップシェル２は、平面視円形状のシェル天板２ａと、このシェル天板２ａの周縁から垂下されたスカート壁２ｂと、このスカート壁２ｂの下端に複数のブリッジ２ｃを介して連結されたタンパーエビデンスバンド（以下、ＴＥバンドという）２ｄと、このＴＥバンド２ｄの下端から内方上向きに連設された係止部材２ｅとを備え、スカート壁２ｂの内面部には、容器３の口部４の外周面に形成された容器ねじ部４ａに螺着されるキャップねじ部２ｆが形成されている。
【００３５】
前記ブリッジ２ｃは、例えば次のようにして形成されている。すなわち、射出成形等によってキャップシェル２を成形する際に、スカート壁２ｂとＴＥバンド２ｄとの間にわたって内面部側に、複数の連結片（図示していない）を周方向に所定間隔おきに形成しておき、この連結片に対応する部位の外面部に、連結片の一部を残して全周にわたるスリットａをカッター等により形成し、この一部を残した連結片によってブリッジ２ｃを形成している。
【００３６】
前記係止部材２ｅは、開栓時において、容器３の口部４の容器ねじ部４ａよりも下部側に形成された環状突起４ｂにその上端が係止するもので、上端側が拡径方向に弾性変形可能となっており、閉栓時には拡径方向に弾性変形して環状突起４ｂを乗り越え、その後、環状突起４ｂの下方に係止可能な姿勢に弾性復帰するように構成されている。
【００３７】
前記シール部５は、キャップシェル２と別体に形成された中栓として構成されており、このシール部５は、容器３の口部４の上端面に外周縁が当接する天板５ａと、この天板５ａの周縁部に垂下連設され、閉栓時に容器３の口部４内に密封可能に嵌入される中足５ｂとからなる。
【００３８】
天板５ａの外周端部には、下方へ湾曲し、容器３の口部４の外周面に密接可能なトップサイドシール部分５ｃが形成され、天板５ａの上面における中足５ｂの付け根の外周部に相当する位置には、天板５ａの外周縁に沿った環状凹入部５ｄが形成されている。
【００３９】
また、中足５ｂの上下方向における中間部の外周には、外方に膨出した膨出部分５ｅが形成されている。
【００４０】
さらに、天板５ａの下面側（容器内部側）における中足５ｂよりも内側の部分には、酸素吸収性樹脂組成物よりなる底面視ほぼ円形状の酸素吸収剤含有樹脂層６が設けられている。この酸素吸収剤含有樹脂層６は、容器内部側に格子状の凸部および／または凹部が設けられた形状をしており、この実施例では、図２に示すように、容器内部側に格子状の凸部６ａが設けられているとともに、凸部６ａの間に複数の凹部６ｂが設けられている。また、各凹部６ｂは底面視矩形状または正方形状となっている。但し、酸素吸収剤含有樹脂層６における周縁部分に形成された各凹部６ｂは、底面視がほぼ台形状または三角形状となっている。
【００４１】
なお、前記凹部６ｂの形状を、例えば、図３に示すように、底面視菱形形状または平行四辺形形状などとしてもよい。酸素吸収剤含有樹脂層６の形状は上記以外の任意の形状をとれる。また、中足５ｂが酸素吸収剤含有樹脂層６を有していてもよい。
【００４２】
前記酸素吸収性樹脂組成物は、ベース樹脂ポリエチレン１００部に対して、酸素吸収剤として粒度１０００μｍ以下の粒度分が５０％の亜硫酸ナトリウム５．０部、吸水性材料としてＨＬＢ値６．５のグリセリンエステル、２．５部を含有している。
【００４３】
上記酸素吸収剤含有樹脂層６を有するシール部５は、その全体が酸素吸収剤含有樹脂層６を構成する素材（酸素吸収性樹脂組成物）と同じ素材からなっていてもよいし、酸素吸収剤含有樹脂層６以外の部分は酸素吸収剤含有樹脂層６を構成する素材（酸素吸収性樹脂組成物）とは異なる素材からなっていてもよい。
【００４４】
上記の構成からなるキャップ１では、容器口部４に密嵌されるシール部５は、開栓に伴って、天板５ａのトップサイドシール部分５ｃがキャップシェル２のキャップねじ部２ｆの上端によって持ち上げられて、中足５ｂが容器口部４から抜け出すのであって、中足５ｂを有するシール部５の持ち上げの開始がブリッジ２ｃの切断後になされるように、係止部材２ｅおよび／またはキャップねじ部２ｆの上端の位置を設定している。
【００４５】
すなわち、開栓に際して、キャップ１を開栓方向に回転させると、まず、係止部材２ｅが容器口部４の環状突起４ｂに当接して、ブリッジ２ｃが切断され、その切断後に、シール部５の天板５ａのトップサイドシール部分５ｃひいてはシール部５全体がキャップねじ部２ｆによって持ち上げられ、さらなるシール部５の持ち上げに伴って、シール部５の中足５ｂの膨出部分５ｅが容器口部４から抜けて、ここで初めてシール部５による容器３の気密が解除されるように構成されている。従って、ブリッジ２ｃが切断された後にシール部５が持ち上がっても、中足５ｂの膨出部分５ｅによる容器３の気密が解除される長さ分の距離だけシール部５が持ち上がらない限りは、容器３の気密漏れが生じない。
【００４６】
また、シール部５の中足５ｂの摩擦効果に基づくシール部５およびキャップシェル２の共回り防止の効果により、ブリッジ２ｃの切断（破断）前後における容器３の気密漏れを防止することができる。
【００４７】
上記の構成により、ブリッジ２ｃが切断されない限りは容器３の気密が確実に保持されるので、ブリッジ２ｃの切断を伴わない例えば悪戯や不注意によるキャップ１の僅かな開栓（所謂ちょい回し）を原因とするガス漏れや外気の吸い込みあるいは内容物の漏れ出しは、確実に防止される。
【００４８】
また、上記の構成からなるキャップ１では、シール部５の天板５ａに環状凹入部５ｄを形成したことによって、トップサイドシール部分５ｃが容器口部４の中心に向けて弾性変形し易くなり、この結果、容器口部４の外周コーナー部に対するトップサイドシール部分５ｃの気密機能が高くなっている。
【００４９】
なお、この発明は、上記の実施例に限られず、種々変形して実施することができる。例えば、前記シール部５を、キャップシェル２とは別体の中栓であるパッキンまたはライナーとするのではなく、図４に示すように、キャップシェル２に樹脂を圧縮成形や射出成形により一体成形して設けたライナーまたはパッキンとして構成してもよい。この場合、酸素吸収剤含有樹脂層６は、例えば、天板５ａの下面側における中足５ｂよりも内側の部分に設けることができる。さらに、キャップシェル２に、キャップシェル２とは別に成形したパッキンまたはライナーを接着または融着し一体に成形してもよい。
【００５０】
また、キャップ１全体が、酸素吸収性樹脂組成物（酸素吸収剤含有樹脂）からなっていてもよい。
【００５１】
さらに、前記酸素吸収剤含有樹脂層６を、酸素吸収性樹脂組成物をフィルム状にしてなる酸素吸収剤含有樹脂フィルムから形成してもよいし、前記酸素吸収剤含有樹脂フィルムとこの酸素吸収剤含有樹脂フィルムを補強・保護するための基材フィルムを貼り合わせた多層フィルムから形成してもよい。
【００５２】
また、キャップ１のみならず、例えば、パウチ等の軟包装容器に設けられるスパウトなどの容器栓部の容器内部側に酸素吸収剤含有樹脂層６を設けてもよい。詳しくは、容器栓部は、例えば、軟包装容器の側壁に対して、軟包装容器の内部と外部とを連通させる状態で固定され、外周面に雄ねじ部を有する筒状部材（図示していない）と、この筒状部材の雄ねじ部に螺合する雌ねじ部を有し、筒状部材の先端の開口を開閉自在に閉塞するキャップ（図示していない）とからなり、酸素吸収剤含有樹脂層６は、筒状部材の容器内部側および／またはキャップの容器内部側に設けることができる。なお、容器栓部のキャップは前記キャップ１とほぼ同様の構成をしているので、容器栓部のキャップに設ける酸素吸収剤含有樹脂層６を、前記キャップ１に設けた酸素吸収剤含有樹脂層６と同様の構成とすることができ、また、筒状部材に酸素吸収剤含有樹脂層６を設ける場合には、例えば、筒状部材の内壁部分に酸素吸収剤含有樹脂層６を設ければよい。
【図面の簡単な説明】
【００５３】
【図１】この発明の一実施例に係る酸素吸収性容器キャップの構成を概略的に示す説明図である。
【図２】上記実施例におけるシール部の構成を概略的に示す底面図である。
【図３】前記シール部の変形例の構成を概略的に示す底面図である。
【図４】前記酸素吸収性容器キャップの変形例の構成を概略的に示す説明図である。
【符号の説明】
【００５４】
１    キャップ
２    キャップシェル
４    容器口部
５    シール部
６    酸素吸収剤含有樹脂層
【図１】
2005194374.tif 000003
【図２】
2005194374.tif 000004
【図３】
2005194374.tif 000005
【図４】
2005194374.tif 000006